(57)【要約】【課題】蛍光ランプの光束維持特性を改善し、かつ従来の真空設備のままで生産効率を向上させる。【解決手段】バルブの管内径ＤＢに対する排気管の内径ＤＶの比率ＤＶ／ＤＢを大きくすることで、バルブ内を排気する時の実質的なコンダクタンスを減少させる。【選択図】図１
2004152709.tif 000002
【特許請求の範囲】
【請求項１】
内部に水銀あるいは水銀化合物と希ガスが封入されたバルブの両端部に電極を設けて封止してなる蛍光ランプにおいて、上記バルブ内に連通する排気管を備え、上記バルブの管内径ＤＢに対する排気管の内径ＤＶの比率ＤＶ／ＤＢを３０％〜５０％としたことを特徴とする蛍光ランプ。
【請求項２】
バルブ管径を１０〜３２ｍｍとしたことを特徴とする請求項１に記載の蛍光ランプ。
【請求項３】
点灯周波数を４０ｋＨｚ以上としたことを特徴とする請求項１に記載の蛍光ランプ。
【請求項４】
複数本のバルブを連結し、１本の放電路を形成した請求項１に記載の蛍光ランプ。
【発明の詳細な説明】
【０００１】
【発明の属する技術分野】
本発明は、蛍光ランプの光束維持特性の改善および排気時間の短縮による生産効率の向上に関する。
【０００２】
【従来の技術】
一般に、汎用されている蛍光ランプの排気管の内径ＤＶは２．２〜４．１ｍｍφとされている場合が多く、またバルブの管内径ＤＢは１４．９〜３６．３ｍｍφとされている。このためバルブの管内径ＤＢに対する排気管の内径ＤＶの比率ＤＶ／ＤＢは、２．２／１４．９〜４．１／３６．３つまり、１１．３〜１４．８％の範囲内にあるのが通常である。
【０００３】
上記通常のＤＶ／ＤＢ比率を細径で環形の高周波点灯専用形二重環形蛍光ランプに適用した場合、この蛍光ランプはバルブが細径であり、バルブが環形であることやブリッジ接合部を有することから、排気管とバルブの管軸方向が変化し、バルブ内を排気する時の実質的なコンダクタンスが増大するため、従来の真空設備では排気能力が不足する恐れがあった。このため、上記二重環形蛍光ランプにおいては排気管の内径ＤＶを３．６ｍｍ、バルブの管内径ＤＢを１７．６ｍｍ、ＤＶ／ＤＢ比率を２１．６％とし、上記コンダクタンスを減少させていた。しかし、まだバルブ内の真空度が低くなり易く、封入する希ガスの圧力がばらつき、光束維持特性に悪影響を及ぼす等の不具合があるとともに、バルブ内を確実に排気するためには、より多くの時間をかけて排気しなければならなかった。
【０００４】
【発明が解決しようとする課題】
本発明は、このような事情に基づいてなされたもので、バルブ内の真空度低下を防止することにより、封入する希ガスの圧力のばらつきを抑え、光束維持特性を改善する蛍光ランプを提供しようとするものであり、かつ従来の真空設備でバルブ内を短時間で排気することができ、蛍光ランプの生産効率を向上させる蛍光ランプを提供するものである。
【０００５】
【課題を解決するための手段】
本発明では、特にバルブ内を排気する時の実質的なコンダクタンスが増大する細径で環形の高周波点灯専用形二重環形蛍光ランプにおいて、バルブ内を排気し易くするため、上記コンダクタンスを減少させることを考えた。
【０００６】
本発明の蛍光ランプは、内部に水銀あるいは水銀化合物と希ガスが封入されたバルブの両端部に電極を設けて封止してなる蛍光ランプにおいて、上記バルブ内に連通する排気管を備え、上記バルブの管内径ＤＢに対する排気管の内径ＤＶの比率ＤＶ／ＤＢを３０％〜５０％としたことを特徴とする。
【０００７】
上記の構成により、コンダクタンスを減少させることができ、バルブ内の真空度低下を防止し、封入する希ガスの圧力のばらつきを抑え、光束維持特性を改善することができる。さらに、従来の真空設備で排気する場合、排気能力がそのままでも、上記コンダクタンスが減少することにより、短時間で排気することができ、その分生産効率が向上する。
【０００８】
また、本発明は上記構成の蛍光ランプにおいて、バルブ管径を１０〜３２ｍｍとする、また点灯周波数を４０ｋＨｚ以上とする、複数本のバルブを連結して１本の放電路を形成するなどの付加的特徴を有してもよい。
【０００９】
【発明の実施の形態】
図１は本発明の蛍光ランプの排気時の実施形態を示す図である。図において、１はバルブ、２は排気管、３はブリッジ接合部、４はリード線である。
【００１０】
バルブ１内を排気する時の実質的なコンダクタンスは、バルブの管内径ＤＢと長さ、排気管２の内径ＤＶと長さ、およびブリッジ接合部３の内径と長さに依存している。
【００１１】
本発明者は、この中でも上記コンダクタンスに特に影響の強い因子が、バルブの管内径ＤＢと排気管の内径ＤＶであることに着目し、比率ＤＶ／ＤＢが上記コンダクタンスに最も影響することを発見した。本発明においては、この比率ＤＶ／ＤＢを従来よりも大きくし、上記コンダクタンスを減少させた。
【００１２】
図２（ａ）は従来のバルブの管内径ＤＢと排気管の内径ＤＶの関係を示す図であり、図２（ｂ）は本発明の一実施例のバルブの管内径ＤＢと排気管の内径ＤＶの関係を示す図である。この場合、排気管の内径ＤＶを大きくし、バルブの管内径ＤＢはそのままとすることにより、比率ＤＶ／ＤＢを大きくしている。
【００１３】
図２（ａ）の比較例の排気管の内径ＤＶは３．８ｍｍであり、図２（ｂ）の本発明の排気管の内径ＤＶは２倍の７．６ｍｍとしている。図２（ａ）（ｂ）で、バルブの管内径ＤＢは１７．６ｍｍと同じであるので、バルブの管内径ＤＢに対する排気管の内径ＤＶの比率ＤＶ／ＤＢは２１．６％から４３．２％と大きくなっている。これによって、バルブ内を排気する時の実質的なコンダクタンスを減少させ、バルブ内を排気し易くした。ここで、排気管の内径ＤＶを大きくし過ぎると、バルブの管内径ＤＢに対する比率ＤＶ／ＤＢが大きくなり、バルブ内を排気し易くはなるものの、バルブと排気管を封着するのが非常に困難になってしまう。本発明者が調査したところ、バルブの管内径ＤＢに対する排気管の管内径ＤＶの比率ＤＶ／ＤＢは大きくても５０％が望ましいことが分かった。
【００１４】
以下、二重環形蛍光ランプ１００ワット形（ＦＨＤ１００）において、本発明を実施した時の効果を図３および図４に基づいて説明する。
【００１５】
図３は図２（ａ）に示す従来の蛍光ランプと図２（ｂ）に示す本発明の蛍光ランプにおける光束維持特性を示す図である。横軸に蛍光ランプの点灯時間、縦軸に光束維持率を示す。比較例はバルブ内を排気する時の実質的なコンダクタンスが大きく、バルブ内の真空度低下を招き、封入する希ガスの圧力がばらつくので、光束維持率が４０００時間点灯で約８７％となっている。本発明は上記コンダクタンスを減少させ、バルブ内の真空度低下を防止し、封入する希ガスの圧力のばらつきを抑えているので、４０００時間点灯で約８８％となり、従来の蛍光ランプよりも約１％光束維持特性が改善している。
【００１６】
図４は図２（ａ）に示す従来の蛍光ランプと図２（ｂ）に示す本発明の蛍光ランプにおいて、従来の真空設備を用い、１気圧からバルブ内を排気した時のバルブ内の真空度の経時変化を示す図である。横軸にバルブ内の排気時間、縦軸にバルブ内の真空度を示す。
【００１７】
比較例はバルブ内を排気する時の実質的なコンダクタンスが大きく、バルブ内を１気圧から１０Ｐａまで排気するのに約６５秒かかっている。本発明は上記コンダクタンスを減少させているので、バルブ内を１気圧から１０Ｐａまで排気するのに約４７秒となり、従来の蛍光ランプよりも約１８秒短い時間で排気でき、その分蛍光ランプの生産効率を向上させることができる。
【００１８】
また、本発明はバルブ管径を１０〜３２ｍｍとする比較的バルブ径が細い蛍光ランプに実施して好ましい結果が得られる。さらに、本発明の蛍光ランプは点灯周波数を４０ｋＨｚ以上とする細径の高周波点灯ランプ、複数本のバルブを連結して１本の放電路を形成する蛍光ランプなどの製造において顕著な効果が得られる。
【００１９】
【発明の効果】
以上のように、本発明によれば蛍光ランプの光束維持特性は、バルブの管内径ＤＢに対する排気管の内径ＤＶの比率ＤＶ／ＤＢを大きくすることにより、バルブ内を排気する時の実質的なコンダクタンスを減少させ、バルブ内の真空度低下を防止することができ、封入する希ガスの圧力のばらつきを抑え、光束維持特性を改善する蛍光ランプを得ることができる。
【００２０】
さらに、上記コンダクタンスを減少させることにより、従来の真空設備でバルブ内を短時間で排気することができ、その分蛍光ランプの生産効率を向上できる。
【図面の簡単な説明】
【図１】本発明の蛍光ランプの排気時の実施形態を示す図。
【図２】従来と本発明のバルブの管内径ＤＢと排気管の内径ＤＶの関係を示す図。
【図３】本発明と従来の光束維持特性を示す図。
【図４】本発明と従来のバルブ内の真空度の経時変化を示す図。
【符号の説明】
１…バルブ、２…排気管、３…ブリッジ接合部、４…リード線、５…電極。
【図１】
2004152709.tif 000003
【図２】
2004152709.tif 000004
【図３】
2004152709.tif 000005
【図４】
2004152709.tif 000006